(57)【要約】【課題】  カメラの撮像方向を所望の方向に調整できるカメラ付きドアホン子機を提供する。【解決手段】  カメラ付きドアホン子機は、カメラブロック１と、カメラブロック１が前面方向を撮像方向として収納される筐体６と、カメラブロック１の撮像方向の水平方向に直交する方向の角度を調整する角度調整機構とを備え、カメラブロック１は、基板２と、基板２の前面に実装される撮像素子と、撮像素子の前方に配置されるレンズを備えて基板２の前面に固定配置され筐体６内の前面側に水平方向を回転軸として回動自在に支持されるレンズカバー５と、筐体６の後方に突出される角度調整用レバー５５とで構成され、角度調整機構は、カメラブロック１の水平方向の側部に形成された複数の凹部５３ｃ…からなる第１の凹凸部と、筐体６に設けられて複数の凹部５３ｃ…と嵌合する凸部７４ａからなる第２の凹凸部とで構成されている。【選択図】図１
2006304224.tif 000002
【特許請求の範囲】
【請求項１】
カメラブロックと、カメラブロックが前面方向を撮像方向として収納される筐体と、カメラブロックの撮像方向を調整する角度調整機構とを備え、カメラブロックは、基板と、基板の前面に実装される撮像素子と、撮像素子の前方に配置されるレンズを備えて基板の前面に固定配置され筐体の前面側に回動自在に支持されるレンズカバーと、筐体の後方に突出される角度調整用レバーとで構成され、角度調整機構は、カメラブロックに設けられる第１の凹凸部と、筐体に設けられて第１の凹凸部と嵌合する第２の凹凸部とで構成されていることを特徴とするカメラ付きドアホン子機。
【請求項２】
角度調整用レバーはレンズカバーと一体に形成されていることを特徴とする請求項１に記載のカメラ付きドアホン子機。
【請求項３】
第２の凹凸部は、筐体の前壁部の後面から後方へ突出する突片に設けられており、第１の凹凸部と第２の凹凸部は、筐体の後面側で嵌合していることを特徴とする請求項１又は２に記載のカメラ付きドアホン子機。
【発明の詳細な説明】
【技術分野】
【０００１】
本発明は、監視、防犯、来客対応等の用途に用いられるカメラ付きドアホン子機に関する。
【背景技術】
【０００２】
カメラ付きドアホン子機は、壁、門柱、表札ユニット内等の様々な箇所の造営面に取付台を介して設置されるため、その設置高さによっては来客をカメラの撮像範囲内に正しく捉えることができない場合があり、かかる問題を解決するために、カメラの撮像方向を調整できるカメラ付きドアホン子機が提供されている。
【０００３】
このようなカメラ付きドアホン子機としては、カメラブロックと、カメラブロックが前面方向を撮像方向として収納される筐体と、前端部が筐体内でカメラブロックに連結されるとともに後端部が筐体内から後方へ突出した状態で筐体の後壁部に水平方向を回転軸として回動自在に支持される角度調整用レバーとを有しているものがある（特許文献１）。
【特許文献１】特開２００１−１６５７７号公報（第１図）
【発明の開示】
【発明が解決しようとする課題】
【０００４】
上記のカメラ付きドアホン子機は、角度調整用レバーの後端部を上下に動かすことによって、カメラブロックの撮像方向を調整することができるようになっており、また、角度調整用レバーに設けられた複数の角度保持凹所と、筐体に設けられた角度保持突起とを嵌合させることで、カメラブロックの撮像方向を固定できるようになっている。
【０００５】
しかしながら、上記のドアホン子機では、角度調整用レバーが筐体の後壁に回動自在に支持されているので、角度調整用レバーの回転軸と角度調整用レバーの後端部との間の距離が非常に短く（つまりは、回転半径が小さく）、そのため角度調整用レバーの移動距離に対する撮像方向の角度変化が大きくなっていた。
【０００６】
したがって、特に上記のように角度保持突起と角度保持凹所とを嵌合させて撮像方向を固定するものでは、角度保持凹所のピッチを小さくしたとしても、隣接する角度保持凹所間での撮像方向の角度変化の値、つまりは撮像方向の角度変化の最小値が大きくなるから、このようなカメラ付きドアホン子機では、所望の撮像方向を得ることができない場合が多かった。
【０００７】
本発明は上述の点に鑑みて為されたもので、その目的は、カメラの撮像方向を所望の方向に調整できるカメラ付きドアホン子機を提供することである。
【課題を解決するための手段】
【０００８】
上述の課題を解決するために、請求項１のカメラ付きドアホン子機では、カメラブロックと、カメラブロックが前面方向を撮像方向として収納される筐体と、カメラブロックの撮像方向を調整する角度調整機構とを備え、カメラブロックは、基板と、基板の前面に実装される撮像素子と、撮像素子の前方に配置されるレンズを備えて基板の前面に固定配置され筐体の前面側に回動自在に支持されるレンズカバーと、筐体の後方に突出される角度調整用レバーとで構成され、角度調整機構は、カメラブロックに設けられる第１の凹凸部と、筐体に設けられて第１の凹凸部と嵌合する第２の凹凸部とで構成されていることを特徴とする。
【０００９】
請求項１の発明によれば、カメラブロックのレンズカバーを筐体内の前面側に回動自在に支持させるとともに、カメラブロックの角度調整用レバーを筐体の後方へ突出させて、カメラブロックの回転軸と角度調整用レバーの後端部との距離を大きくしているので、角度調整用レバーの移動距離に対するカメラブロックの撮像方向の角度変化が小さくなり、これにより、角度調整機構による角度調整を細かく行えるようになるから、カメラの撮像方向を所望の方向に調整することが可能になる。
【００１０】
請求項２のカメラ付きドアホン子機では、請求項１の構成に加えて、角度調整用レバーはレンズカバーと一体に形成されていることを特徴とする。
【００１１】
請求項２の発明によれば、筐体に回動自在に支持されるレンズカバーに角度調整用レバーを一体に設けているので、角度調整用レバーに負荷がかかった際に、このような負荷が基板や撮像素子に影響を与えることがなくなり、これにより、角度調整用レバーの操作によってレンズと撮像素子の位置関係がずれてしまうことを防止できる。
【００１２】
請求項３のカメラ付きドアホン子機では、請求項１又は２の構成に加えて、第２の凹凸部は、筐体の前壁部の後面から後方へ突出する突片に設けられており、第１の凹凸部と第２の凹凸部は、筐体の後面側で嵌合していることを特徴とする。
【００１３】
請求項３の発明によれば、筐体の前壁部の後面から後方へ突出させた突片に第２の凹凸部を設けるとともに、第１の凹凸部と第２の凹凸部の嵌合位置を筐体の後面側とすることで、突片の突出寸法を長くしているから、第２の凹凸部を所定の弾性力で第１の凹凸部に嵌合させることができ、さらに、筐体の前面側でのみカメラブロックの取り付け及び角度調整機構の嵌合を行えるから、組立性を向上できる。
【発明の効果】
【００１４】
本発明は、カメラブロックの回転軸と角度調整用レバーの後端部との距離を大きくしているので、角度調整用レバーの移動距離に対するカメラブロックの撮像方向の角度変化が小さくなり、これにより、角度調整を細かく行えるようになって、カメラの撮像方向を所望の方向に調整することができるという効果がある。
【発明を実施するための最良の形態】
【００１５】
以下に、本発明のカメラ付きドアホン子機（以下、単にドアホン子機という）の一実施形態について、図１〜図５を参照して説明する。尚、以下の説明では、特に断りがない限りは、図１（ａ）の上側をドアホン子機の上側、図１（ａ）の下側をドアホン子機の下側、図１（ａ）の右側をドアホン子機の右側、図１（ａ）の左側をドアホン子機の左側、図１（ａ）の紙面奥側をドアホン子機の前側、図１（ａ）の紙面手前側をドアホン子機の後側とする。
【００１６】
本実施形態のドアホン子機は、図３に示すように、カメラブロック１と、カメラブロック１が前面方向を撮像方向として収納される筐体６と、カメラブロック１の撮像方向の水平方向に直交する方向の角度を調整する角度調整機構とを備え、カメラブロック１は、図２（ｂ）に示すように、基板２と、基板２の前面に実装される撮像素子３と、撮像素子３の前方に配置されるレンズ４を備えて基板２の前面に固定配置され筐体６内の前面側に水平方向を回転軸として回動自在に支持されるレンズカバー５と、筐体６の後方に突出される角度調整用レバー５５とで構成され、角度調整機構は、カメラブロック１の右側部に形成された複数の凹部５３ｃ…からなる第１の凹凸部と、筐体６に設けられて複数の凹部５３ｃと嵌合する凸部７４ａからなる第２の凹凸部とで構成されている。
【００１７】
カメラブロック１は、図２（ｂ）に示すように、基板２と、撮像素子３と、レンズ４と、レンズカバー５と、角度調整用レバー５５とで構成され、撮像素子３は基板２に実装され、レンズ４及び角度調整用レバー５５はレンズカバー５に設けられている。
【００１８】
基板２は、図３に示すように、平板状のプリント配線板２０に、画像伝送用の回路等を構成する電子部品（図示せず）が実装されてなり、前面の略中央部に撮像素子３が実装されている。また、プリント配線板２０には、図１（ａ）に示すように、レンズカバー５の位置決めを行う一対の係止孔２０ａ，２０ａと、レンズカバー５を基板２に取り付けるための取付ねじ（図示せず）がそれぞれ挿通される一対のねじ挿通孔２０ｂ，２０ｂとが設けられている。尚、図２（ａ）及び図４では、基板２は省略している。
【００１９】
レンズカバー５は、たとえば樹脂成形品であり、図２〜図４に示すように、後面が開口した略直方体の箱状に形成されて撮像素子３を覆うカバー本体５０と、カバー本体５０の左右方向（水平方向）の両側面に突設された長尺状の左片部５１及び右片部５２と、右片部５２の先端部（右端部）から後方へ延出された側板部５３とを一体に備えている。
【００２０】
カバー本体５０には、図２（ｂ）に示すように、前面部に撮像素子３を外部に臨ませる略円形状のレンズ孔５０ａが形成されており、このレンズ孔５０ａの内側面にはねじ溝が形成されている。このレンズ孔５０ａには、レンズ４を備えるレンズブロック５４が取り付けられて、撮像素子３に外部からの光を受光させることができるようになっている。また、カバー本体５０の後端面には、図２（ａ）に示すように、上記プリント配線板２０の一方の係止孔２０ａに挿入される脚片５０ｂが突設されるとともに、上記プリント配線板２０の一方のねじ挿通孔２０ｂと連通するねじ孔５０ｃが開口している。
【００２１】
一方、上記のレンズブロック５４は、図２（ｂ）に示すように、両端が開口した円筒状の樹脂成形部５４ａと、樹脂成形部５４ａの前端側の開口に被着されるレンズ４とで構成されている。また、このレンズブロック５４の樹脂成形部５４ａには、その後端側の外周面にカバー本体５０のレンズ孔５０ａのねじ溝に対応するねじ溝が形成されており、これによって、レンズブロック５４をカバー本体５０に着脱自在に取り付けることができるようになっている。
【００２２】
左片部５１及び右片部５２の前面部にはそれぞれ支持片５１ａ，５２ａが一体に突設されており、各支持片５１ａ，５２ａの右側面には、略円柱状の軸部５１ｂ，５２ｂが一体に突設されている。これら軸部５１ｂ，５２ｂは、レンズカバー５を筐体６に水平方向を回転軸として回動自在に取り付けるためのものであるから、左右方向（水平方向）において同軸となるように設けられている。また、左片部５１の後端面には、図２（ａ）に示すように、上記プリント配線板２０の他方の係止孔２０ａに挿入される脚片５１ｃが突設されており、右片部５２の後端面には、上記プリント配線板２０の他方のねじ挿通孔２０ｂと連通するねじ孔５２ｃが開口している。加えて、右片部５２は、レンズカバー５を基板２に固定した際に、側板部５３が基板２の側方に位置するような長さ寸法に形成されている。
【００２３】
側板部５３は、図１（ｃ）に示すように、カメラブロック１の右側部となる平板部５３ａと、上記支持片５１ａ，５２ａの軸部５１ｂ，５２ｂを中心軸とする円弧状を有して平板部５３ａの右側面の後端縁に突設された後壁部５３ｂとを一体に備えている。また、平板部５３ａの後壁部５３ｂ側には、上記軸部５１ｂ，５２ｂを中心軸とする円弧上に所定間隔で複数の角度調整用の凹部５３ｃ…が列設されており、後壁部５３ｂの後面側の上下方向における略中央部には、角度調整用レバー５５が一体に突設されている。さらに側板部５３の平板部５３ａの前端面には、先部が円弧状に形成されたリブ５３ｄが一体に突設されている。加えて、平板部５３ａの前後方向の長さ寸法は、レンズカバー５を基板２の前面に固定配置した際に、凹部５３ｃ…が基板２よりも後方に位置する程度の大きさに設定されている。
【００２４】
そして、カメラブロック１は、撮像素子３が実装された基板２の前面に、取付ねじ（図示せず）を用いてレンズカバー５を固定することで構成される。ここで、このレンズカバー５の基板２への取り付けは、図１（ａ）に示すようにレンズカバー５の脚片５０ｂ，５１ｃを基板２の挿通孔２０ａ，２０ａにそれぞれ挿入するとともに、図２（ｂ）に示すようにレンズカバー５のカバー本体５０内に撮像素子３を配置し、この後に、基板２のねじ挿通孔２０ｂ，２０ｂを挿通させた取付ねじ（図示せず）をレンズカバー５のねじ孔５０ｃ，５２ｃにそれぞれ螺着することで行われる。そして、このようにレンズカバー５を基板２に固定した際には、図２（ｂ）に示すように、側板部５３が基板２の側方に位置するため、基板２に角度調整用レバー５５を後方へ突出させるための孔などを設ける必要がなくなり、これによりカメラブロック１の組立性を向上できる。
【００２５】
以上により構成されたカメラブロック１は、図３に示すように、回路ブロック９とともに筐体６に収納される。ここで、回路ブロック９は、音声回路等の各種回路や呼び出しスイッチ９０ａが実装された回路基板９０と、回路基板９０に電気的に接続される、図示しない集音マイク、スピーカ、及び通話線等が接続される端子部等で構成されている。尚、図１（ａ）及び図２（ａ）では、回路ブロック９は省略している。
【００２６】
次に、カメラブロック１及び回路ブロック９が収納される筐体６について説明する。筐体６は、図３に示すように、筐体６の前面部となるボディ７と、後面部となるカバー８とで構成されており、これらボディ７及びカバー８は、いずれも樹脂成形品からなる。尚、図１（ａ）及び図２（ａ）では、カバー８は省略している。
【００２７】
ボディ７は、図４に示すように、後面が開口した略直方体の箱状に形成されており、ボディ７の前壁部の上端中央部には、図３に示すように、筐体６に収納されるカメラブロック１のレンズ４を筐体６外部に臨ませる円形状の窓孔７ａが形成されている。また、ボディ７の前壁部の中央部には、上下方向を長手方向とする溝部７ｂが複数形成されており、この溝部７ｂ…の側面には、スピーカ孔７ｂ１が設けられている。この複数の溝部７ｂ…の下方には、呼び出しボタン９０ａを操作するための操作部７０が前後方向に揺動自在に配置される矩形状のボタン孔７ｃが形成されている。さらに、ボタン孔７ｃの左下方には、来訪者の音声を集音マイク（図示せず）に取り込むためのマイク孔７ｄが形成されており、ボタン孔７ｃの下方には、筐体６を壁、門柱、表札ユニット内等の様々な箇所の造営面に設置するための取付台（図示せず）に固定するための取付ねじ（図示せず）用のねじ挿通孔７ｅが形成されている。加えて、ボディ７の下壁部の後端部には、左右方向に離間した一対の係止孔７ｆ，７ｆが形成されている。
【００２８】
また、ボディ７の前面部には、窓孔７ａを覆うように透光カバー（図示せず）が被着される。この透光カバーは、透光性材料から下面及び後面が開口した箱状に形成されており、ボディ７に被着された際に、窓孔７ａの周縁部でボディ７に密着接合されて、窓孔７ａから筐体６内部に水が浸水することを防止するためのものである。
【００２９】
一方、筐体６の内面となるボディ７の前壁部の裏面（後面）には、図４に示すように、窓孔７ａの左右に軸受け部７１，７２が形成されている。軸受け部７１，７２は、左右方向において同軸となるようにして窓孔７ａの左方及び右方に設けられており、この軸受け部７１，７２には、レンズカバー５の軸部５１ｂ，５２ｂがそれぞれ左右方向（水平方向）を回転軸として回動自在に支持される。また、軸受け部７２の右方には、レンズカバー５の側板部５３に設けたリブ５３ｄの円弧状の先端面が摺動自在に当接される受け部７３が設けられている。加えて、この受け部７３の右側には、突片７４が後方へ向けて一体に突設されている。突片７４は、左右方向の厚みが薄い平板状に形成されて、左右方向に所定の弾性を有するように形成されている。また、突片７４の左側面には、前後方向を長手方向とする角度調整用の凸部７４ａが一体に突設されており、この角度調整用の凸部７４ａが、レンズカバー５の角度調整用の凹部５３ｃ…とともに角度調整機構を構成する。さらに、ボディ７の前壁部の裏面には、カバー８をボディ７に取り付けるための取付ねじ（図示せず）が螺入されるねじ孔７５ａを備えた円筒状のボス７５が複数突設されている。
【００３０】
カバー８は、図３に示すように、ボディ７の開口した後面を覆う程度の大きさの略平板状に形成されている。このカバー８には、上記ボディ７のねじ孔７５ａにそれぞれ対応するねじ挿通孔８ａ…が設けられるとともに、カバー８の下端縁には、上記ボディ７の係止孔７ｆ，７ｆにそれぞれ係止される一対の係止爪８ｂ，８ｂが一体に突設されている。また、カバー８の下端中央部には、上記ボディ７のねじ挿通孔７ｅと連通して取付台用の取付ねじが挿通されるねじ挿通孔８ｃが形成されており、カバー８の下端側の左方には、上記回路ブロック９の端子部を外部へ臨ませるための端子接続孔８ｄが上下方向に４つ列設されている。加えて、カバー８の上端側の右方には、図１（ｃ）に示すように、レンズカバー５の角度調整用レバー５５を筐体６外部へ突出させるためのレバー用孔部８ｅが設けられており、このレバー用孔部８ｅは、角度調整用レバー５５を上下方向に動かせるように、上下方向を長手方向とする長孔状に形成されている。
【００３１】
上記の部材によりドアホン子機は構成されており、各部材は次のようにして取り付けられている。カメラブロック１は、図４に示すように、レンズカバー５の支持片５１ａ，５２ａの軸部５１ｂ，５２ｂを、ボディ７の軸受け部７１，７２にそれぞれ軸支させるとともに、側板部５３のリブ５３ｄを受け部７３に当接させた状態でボディ７に水平方向を回転軸として回動自在に取り付けられる。このとき、レンズブロック５４がボディ７の窓孔７ａから外部へ臨むとともに、側板部５３に複数設けられた角度調整用の凹部５３ｃ…と、ボディ７の突片７４に設けられた角度調整用の凸部７４ａとが嵌合するようになっている。このように、本実施形態のドアホン子機では、筐体６の前面側、つまりはボディ７のみでカメラブロック１の取り付け、及び角度調整機構の嵌合を行えるから、上述の従来例の角度調整用レバーを筐体の後壁に回動自在に支持させる場合等のように、カメラブロックの取り付けをボディとカバーの取り付けとともに行う必要がなくなり、これにより組立性を向上できる。
【００３２】
そして、ボディ７には、回路ブロック９が、スピーカ（図示せず）を溝部７ｂに、呼び出しスイッチ９０ａを孔部７ｃに配置された操作部７０に、集音マイク（図示せず）をマイク孔７ｄにそれぞれ対応させた状態で配置収納される。この後に、カバー８が後面開口を閉塞するようにしてボディ７に被着されるのであるが、カバー８の取り付けは、カバー８の係止爪８ｂ，８ｂをボディ７の係止孔７ｆ，７ｆに係止させるとともに、カバー８のねじ挿通孔８ａ…をボディ７のねじ孔７５ａ…にそれぞれ連通させた状態で、ボディ７の各ねじ孔７５ａ…に取付ねじ（図示せず）を螺着することで行われる。
【００３３】
このようにしてカバー８がボディ７に取り付けられた際には、図１（ｃ）に示すように、カメラブロック１の角度調整用レバー５５が、カバー８のレバー用孔部８ｅから筐体６外部へ突出し、また、回路ブロック９の端子台（図示せず）がカバー８の端子接続孔８ｄから筐体６外部へ臨むことになる。
【００３４】
以上により図５に示すドアホン子機が得られ、次に、ドアホン子機の撮像方向の調整方法について説明する。このドアホン子機の撮像方向の調整は、図１（ｃ）に示すように、筐体６の後方に突出された角度調整用レバー５５を操作することで行われる。つまり、角度調整用レバー５５を上下方向に移動させて、角度調整用の凸部７４ａと嵌合させる角度調整用の凹部５３ｃを変更すれば、角度調整用レバー５５の移動に伴なって、ボディ７に回動自在に支持されたカメラブロック１が、軸部５１ｂ，５２ｂを回転軸として上下方向に回動した後に、その位置で固定されることになる。したがって、角度調整用レバー５５を操作して、角度調整用の凸部７４ａと嵌合する角度調整用の凹部５３ｃを変更することによって、カメラブロック１の撮像方向を所望の方向へ向けて固定することができ、これにより、様々な取付位置に対応して、好適な撮像範囲の画像を得ることができる。
【００３５】
しかも、本実施形態のカメラ付きドアホン子機では、カメラブロック１のレンズカバー５を筐体６の前面側となるボディ７に回動自在に支持させるとともに、カメラブロック１の角度調整用レバー５５を筐体６の後方へ突出させることにより、カメラブロック１の回転軸と角度調整用レバー５５の後端部との間の距離を大きくしているので、カメラブロック１の回転軸と凹部５３ｃとの距離を大きくとることができ、角度調整用レバー５５の移動距離に対するカメラブロック１の撮像方向の角度変化を小さくできる。これにより、側板部５３に複数設けた凹部５３ｃ…のピッチ（隣接する凹部５３ｃ間の距離）に対する撮像方向の角度変化の値、つまりは撮像方向の角度変化の最小値を従来例に比べて大幅に小さくなるから、カメラブロック１の角度調整を細かく行えるようになり、これによって、カメラの撮像方向を所望の方向に調整できる。加えて、図１（ｃ）に示すように、角度調整用レバー５５の可動範囲の増加に伴なって、従来例よりも凹部５３ｃを形成する面積を大きくとることができるから、従来例に比べてカメラブロック１の撮像方向の固定位置を大幅に増やすことができる。
【００３６】
また、筐体６に回動自在に支持されるレンズカバー５に角度調整用レバー５５を一体に設けているので、角度調整用レバー５５の操作時に、角度調整用レバー５５にかかる負荷が基板２や撮像素子３に影響を与えることがなくなり、これにより、角度調整用レバー５５の操作によってレンズ４と撮像素子３の位置関係がずれてしまうことを防止できる。
【００３７】
さらに、筐体６の前壁部の後面となるボディ７の前壁部の後面から後方へ突出させた突片７４に第２の凹凸部となる角度調整用の凸部７４ａを設けるとともに、凹部５３ｃ…と凸部７４ａの嵌合位置を筐体６の後面側とすることで突片７４の突出寸法を長くしているから、凸部７４ａを所望の弾性力で第１の凹凸部となる複数の凹部５３ｃ…に嵌合させることができ、これにより、角度調整機構の嵌合の度合いを容易に調整できるようになり、角度調整時の操作性を向上できる。しかも、凹部５３ｃと嵌合する凸部７４ａを備える突片７４が筐体６内に位置するため、不意に物体が衝突する等によって突片７４に外力が作用して、カメラブロックの撮像方向がずれてしまうといった不具合を防止できる。
【００３８】
尚、上記のカメラ付きドアホン子機の角度調整機構は、複数の凹部５３ｃ…からなる第１の凹凸部と、凸部７４ａからなる第２の凹凸部とで構成されているが、このような角度調整機構は、上記の構成に限られるものではなく、しかも、第１の凹凸部と第２の凹凸部との嵌合の度合いを凹凸部の形状、形成位置等によって容易に設計変更することができ、状況に応じて好適なものを用いることができる。
【００３９】
また尚、本実施形態のカメラ付きドアホン子機は、上下方向の角度を調整できるものであるが、水平方向の角度を調整するようにしてもよいし、上下方向及び水平方向の両方向の角度を調整できるように構成してもよい。
【図面の簡単な説明】
【００４０】
【図１】（ａ）は、本発明のカメラ付きドアホン子機の一部を省略した後面図であり、（ｂ）は、同図（ａ）のＡ−Ａ線における断面図であり、（ｃ）は、同図（ａ）のＢ−Ｂ線における断面図である。
【図２】（ａ）は、同上の一部を省略した後面図であり、（ｂ）は、同図（ａ）のＣ−Ｃ線における断面図である。
【図３】同上の分解斜視図である。
【図４】同上の組み立て説明図である。
【図５】同上の斜視図である。
【符号の説明】
【００４１】
１    カメラブロック
２    基板
５    レンズカバー
５３ｃ  凹部
５５  角度調整用レバー
６    筐体
７４ａ  凸部
【図１】
2006304224.tif 000003
【図２】
2006304224.tif 000004
【図３】
2006304224.tif 000005
【図４】
2006304224.tif 000006
【図５】
2006304224.tif 000007